(57)【要約】
【課題】カメラの横撮りや縦撮りのいずれの場合にも簡単な構成のストロボ取付装置でストロボをカメラレンズの上方位置に配置できるようにし、このストロボ取付装置を用いたストロボ撮影にて被写体背景に影が映り込まない撮影を行なえるようにする。
【解決手段】横部４と縦部５とが曲がり部６を介して連続したストロボブラケット２と、前記縦部５に取り付けられて前記横部４の下方で平行にして位置するカメラ据付ブラケット３とからなり、ストロボブラケット２の一端部側から他端部側に亘るストロボ取付用の長孔７にストロボ取付具８が案内されて移動可能とし、カメラ据付ブラケット３のカメラ取付用の長孔１１にカメラ取付具１２が案内されて移動可能とし、カメラ据付ブラケット３の連結手段１３により、カメラ据付ブラケット３をストロボブラケット２の縦部５に移動可能に連結した。
【選択図】　図１
0003099909.tif 000002
【実用新案登録請求の範囲】
【請求項１】
　横部とこの横部の長手方向に直角となる縦部とが曲がり部を介して連続して略く字状の形状を呈するストロボブラケットと、前記ストロボブラケットの縦部に端部が取り付けられて前記横部の下方でこの横部に平行にして対向位置するカメラ据付ブラケットとからなり、
　前記ストロボブラケットは、該ストロボブラケットの一端部側から他端部側に亘ってストロボ取付用の長孔が開口され、ストロボブラケットに対する位置決め手段を有するストロボ取付具が、前記ストロボ取付用の長孔に案内されてストロボブラケットの一端部側から他端部側に移動可能に設けられ、
　前記カメラ据付ブラケットは、該カメラ据付ブラケットの長手方向に沿ってカメラ取付用の長孔が開口され、カメラをカメラ据付ブラケットに対して取り付けるカメラ取付具が、前記カメラ取付用の長孔に案内されてカメラ据付ブラケットの長手方向に移動可能に設けられ、
　前記カメラ据付ブラケットはストロボブラケットの縦部に対する連結手段を備えて、該連結手段がストロボブラケットの縦部における長孔に案内されて移動可能に設けられ、カメラ据付ブラケットとストロボブラケットの横部との対向間隔を調整可能にした構成を有することを特徴とするストロボ取付装置。
【請求項２】
　上記ストロボブラケットは、カメラ据付ブラケットの長手方向に沿う中心軸周りに回動可能である請求項１に記載のストロボ取付装置。
【考案の詳細な説明】
【技術分野】
【０００１】
　本考案はストロボ使用の写真撮影に際してそのストロボ位置をカメラのレンズ位置上方に配置させるためのストロボ取付装置に関するものである。
【背景技術】
【０００２】
　従来からデジタルカメラを含む写真カメラにおいて、カメラ本体の前面肩部分にストロボを組み込んだタイプのものが多く普及していているが、このタイプのカメラでのストロボを使用した場合、カメラレンズの側方に位置する前記ストロボからの光が被写体に当てられた状態で写真撮影することになり、被写体の側方にその被写体の影が生じてしまい、撮影画像での被写体イメージを低下させる不都合がある。このことから、カメラ本体に組み込まれたストロボとは別体のストロボを用意し、この別個のストロボをカメラレンズの位置上方に配置してそのストロボからも光を照射して写真撮影を行ない、影が写り込まないようにする工夫がなされている。
　そして、カメラの横撮りや縦撮りとに応じて上記別個のストロボをカメラレンズの上方位置となるように、カメラ本体を据え付けるカメラ据付ブラケットの端部側に伸縮パイプを立ち上げ、その伸縮パイプの先端に関節体を介してストロボブラケットを回動可能に連結してなるストロボ取付装置が提案されている（例えば特許文献１参照）
【特許文献１】実開平０７−０３２６５０号公報（段落番号０００８、図１）
【考案の開示】
【考案が解決しようとする課題】
【０００３】
　しかしながら上記ストロボ取付装置では伸縮パイプや関節体を用いた構成となっているため、構成が複雑で軽量化し難く、商品としての低価格化を図れないという問題がある。
　そこで本考案は上記事情に鑑み、カメラの横撮りや縦撮りのいずれの場合にも簡単な構成のストロボ取付装置でストロボをカメラレンズの上方位置に配置できるようにすることを課題とし、このストロボ取付装置を用いたストロボ撮影にて被写体背景に影が映り込まない撮影を行なえるようにすることを目的とする。
【課題を解決するための手段】
【０００４】
　本考案は上記課題を考慮してなされたもので、横部とこの横部の長手方向に直角となる縦部とが曲がり部を介して連続して略く字状の形状を呈するストロボブラケットと、前記ストロボブラケットの縦部に端部が取り付けられて前記横部の下方でこの横部に平行にして対向位置するカメラ据付ブラケットとからなり、前記ストロボブラケットは、該ストロボブラケットの一端部側から他端部側に亘ってストロボ取付用の長孔が開口され、ストロボブラケットに対する位置決め手段を有するストロボ取付具が、前記ストロボ取付用の長孔に案内されてストロボブラケットの一端部側から他端部側に移動可能に設けられ、前記カメラ据付ブラケットは、該カメラ据付ブラケットの長手方向に沿ってカメラ取付用の長孔が開口され、カメラをカメラ据付ブラケットに対して取り付けるカメラ取付具が、前記カメラ取付用の長孔に案内されてカメラ据付ブラケットの長手方向に移動可能に設けられ、前記カメラ据付ブラケットはストロボブラケットの縦部に対する連結手段を備えて、該連結手段がストロボブラケットの縦部における長孔に案内されて移動可能に設けられ、カメラ据付ブラケットとストロボブラケットの横部との対向間隔を調整可能にした構成を有することを特徴とするストロボ取付装置を提供して、上記課題を解消するものである。
　そして、本考案において、上記ストロボブラケットは、カメラ据付ブラケットの長手方向に沿う中心軸周りに回動可能であるものとすることが可能である。
【考案の効果】
【０００５】
　本考案によれば、構成が簡単であってストロボ取付装置の軽量化や低価格化が図り易くなる。また、カメラ据付ブラケットに対してストロボブラケットを回動できるようにすることで、室内での横撮り時に、例えばストロボをカメラの後方で斜め上方に向くように位置させて光照射させれば、天井からの反射光が被写体に当たるようになり、ソフトな表現の画像が得られるようになる。そして、ストロボ内蔵タイプのカメラに本装置を取り付けて別途のストロボを本装置にセットすることで、増灯した状態での撮影が簡単に実施できるなど、実用性に優れた効果を奏するものである。
【考案を実施するための最良の形態】
【０００６】
　つぎに本考案を図１から図３に示す実施の形態に基づいて詳細に説明する。
　図中１はストロボ取付装置で、該ストロボ取付装置１は図１に示すように略く字状の形状を呈するストロボブラケット２と、カメラ本体の幅方向にしてカメラ底部に接するようにカメラを据え付けるカメラ据付ブラケット３とからなるものである。
【０００７】
　前記ストロボブラケット２は金属板材をその厚さ方向に折り曲げられていて、横部４とこの横部４の長手方向に直角となる縦部５とが曲がり部６を介して連続しており、前記曲がり部６自体は角張った曲がり形をしているものではなく緩やかなカーブとなるように設けられている。また、このストロボブラケット２には、図１に示すように横部４の曲がり部６とは反対となる一端部２ａ側から曲がり部６を通って縦部５の曲がり部６とは反対となる他端部２ｂ側に亘って一本のストロボ取付用の長孔７が開口されている。
　図において８はストロボブラケット２に設けられたストロボ取付具であり、このストロボ取付具８は、ストロボブラケット２の外方面側に位置するフォトシューアダプタ８ａにストロボブラケット２の内方面側から上記ストロボ取付用の長孔７を通して取付ビス８ｂをネジ付けられているものであり、この取付ビス８ｂを締め付けるようにすることで前記フォトシューアダプタ８ａとでストロボブラケット２を挟み込み、このストロボブラケット２にフォトシューアダプタ８ａを位置決めできるようにしている。そして、取付ビス８ｂはストロボ取付用の長孔７に位置する部分がこの長孔７の内幅より細く設けられていて、取付ビス８ｂを緩めた状態においてストロボ取付具８が長孔７に案内されて、ストロボブラケット２の一端部２ａ側から他端部２ｂ側にかけて移動可能となるように設けられている。即ち、フォトシューアダプタ８ａにストロボＡをセットした状態で取付ビス８ｂを緩めれば、ストロボＡをストロボブラケット２に沿って一端部２ａ側から他端部２ｂ側に亘って移動させることができ、また、この取付ビス８ｂを締付ければストロボブラケットに対する位置決め手段となってストロボＡを任意の位置に配置固定できる。
　図示の例において、ストロボ取付具８の取付ビス８ｂのビス頭８ｃは円盤状としていることから、上記曲がり部６の形状はストロボ取付具８が上記長孔７に沿って移動する時のビス頭８ｃがストロボブラケットに対して非係合で移動を規制しない曲がり形状であればよい。
【０００８】
　また、カメラ据付ブラケット３は金属板材からなりその一端部側を直角にして下方に折り曲げて後述するようにストロボブラケット２への取付端部９としている。そして、図１に示すように、このカメラ据付ブラケット３は、ストロボブラケット２の横部４の下方でこの横部４に平行にして対向位置し、その横部４に対して平行となるカメラ据付部１０には、その長手方向に沿って一本のカメラ取付用の長孔１１が開口している。また、カメラＡをカメラ据付ブラケット３に取り付けて固定するためのカメラ取付具１２を有していて、このカメラ取付具１２はカメラ据付ブラケット３の下方から前記長孔１１を通ってカメラ底部に設けられている図示しないねじ孔にネジ付けることのできる取付ビスからなるもので、カメラ取付具１２を締め付けることでカメラ本体とでカメラ据付ブラケット３を挟み付け、これによりカメラＢをカメラ据付ブラケット３上の任意の位置に位置決めするものである。そして、このカメラ取付具１２の前記長孔１１に位置する部分はその長孔１１の内幅より細く設けられており、これによってカメラ取付具１２は長孔１１に案内されてカメラ据付ブラケット３の長手方向に移動可能であり、カメラＢをカメラ据付ブラケット３上に配してカメラ取付具１２を緩めにネジ付けた状態とすれば、カメラＢをカメラ据付ブラケット３の長手方向に移動できるようになる。
　なお、カメラ据付ブラケット３における上記長孔１１はカメラの移動に対応することを主目的として設けられているものではない。即ち、各種のカメラにおいてカメラ底部に位置する上記ねじ孔は底部中央位置していたり底部端側に位置していたりしてその位置が特定できず、いずれのカメラが据え置かれてもカメラ底部のねじ孔に上記カメラ取付具１２をねじ入れることができるようにするためにこの長孔１１が設けられている。
【０００９】
　さらに、カメラ据付ブラケット３の上記取付端部９はストロボブラケット２の縦部５に面していて、この縦部５に対する連結手段１３を備えている。図示するようにこの連結手段１３は、取付端部９から突出している取付ビス１３ａを縦部４における上記長孔７を通し、その取付ビス１３ａにストロボブラケット２の外方面側から締付ノブ１３ｂを螺合させてなるものであり、前記締付ノブ１３ｂを締付方向に回転させて締め付けることで縦部５を挟持した状態でカメラ据付ブラケット３が縦部５に固定されて位置が定められ、横部４との平行状態も維持されるようにしている。そして、前記取付ビス１３ａの長孔７に位置する部分はその長孔７の内幅より細く設けられており、締付ノブ１３ｂを緩めれば縦部５における長孔７に案内されてカメラ据付ブラケット３が縦部５に沿って移動でき、横部４に対しての平行状態を保ったまま縦部５の所望の位置へとこのカメラ据付ブラケット３を移動できるように設けられている。即ち、このストロボ取付装置１を利用しようとするときのカメラはその大きさが異なることから、カメラ据付ブラケット３に取り付けたカメラに応じてストロボブラケット２の横部４とカメラ据付ブラケット３のカメラ据付部１０との対向間隔を調整可能にした構成を有するものとしている。
【００１０】
　このストロボ取付装置１の使用方法としては例えば以下の通りにして行なう。横撮りの場合、まず、カメラ据付ブラケット３のカメラ据付部１０上にカメラを置いてカメラ底部のねじ孔に上記カメラ取付具１２を螺合させ、カメラを固定する。また、上記ストロボブラケット２の横部４に位置させたストロボ取付具８にストロボを取り付け、そして前記カメラのカメラレンズ位置の上方となるように移動させてからストロボ取付具８での締付けでそのストロボを位置固定させる。そして、必要に応じてストロボブラケット２の横部４とカメラ据付ブラケット３のカメラ据付部１０との対向間隔を調整すればよい。なお、図示のストロボはスレーブタイプのものである。
　このように本ストロボ取付装置１を用いてカメラレンズ位置の上方にストロボを位置させ、そのストロボを使用した撮影を行なえば被写体脇の背部にその被写体の影が生じるという不具合を解消できる。
　また、横撮りの状態から横撮りに変更するには、ストロボブラケット２の横部４にあるストロボをそのストロボ取付具８を緩めて縦部５に移動させ、縦撮りするときのカメラレンズ位置の上方となる位置にストロボを固定する。上述したように曲がり部６はストロボ取付具８のビス頭８ｃの移動を不能としない曲がり形状であるため、ストロボの前記横部４から縦部５の移動や縦部５から横部４の移動がスムーズに行なえる。そして縦撮りに際してもカメラレンズ位置の上方にストロボがあるため、上方からストロボ光を被写体側に当てるようになり、上述した横撮りの場合と同じように影の映り込みを防ぐことができるようになる。
【００１１】
　さらに本ストロボ取付装置１の上記連結手段１３の取付ビス１３ａにおいて、上述したように長孔７に位置する部分がその長孔７の内幅より細く設けられている。これによって、ストロボブラケット２は、カメラ据付ブラケット３のカメラ据付部１０の長手方向に沿う中心軸周りに回動可能となり、横撮り状態においてストロボブラケット２を後倒させてストロボをカメラの上部後方に位置させ、ストロボ光の方向を上方に向ける撮影も可能となる。室内においてこの撮影を行なえば、上方からの反射光が被写体に当たる状態となり、光の当たり方がソフトな画像として撮影できるようになる。
　なお、図において１４は、ストロボ取付具やカメラを位置決めしたときのガタ付きを無くすためのコルク材であり、このコルク材１４を介して締め付けを行なうことでカメラやストロボがしっかりと固定されるようにしている。また１５、１６はワッシャーを示している。
【図面の簡単な説明】
【００１２】
【図１】本考案に係るストロボ取付装置の一例を示す説明図である。
【図２】一例における横撮り時の使用状態を示す説明図である。
【図３】一例における縦撮り時の使用状態を示す説明図である。
【符号の説明】
【００１３】
　１…ストロボ取付装置
　２…ストロボブラケット
　３…カメラ据付ブラケット
　４…横部
　５…縦部
　６…曲がり部
　７…長孔
　８…ストロボ取付具
　Ａ…ストロボ
　１０…カメラ据付部
　１１…長孔
　１２…カメラ取付具
　１３…連結手段
　Ａ…ストロボ
　Ｂ…カメラ
【図１】
0003099909.tif 000003
【図２】
0003099909.tif 000004
【図３】
0003099909.tif 000005